(57)【要約】      （修正有）【課題】遮蔽層で外部の電磁波、ノイズによる妨害を隔離して音声映像信号の伝送を安定させる高周波音声映像デジタルケーブルを提供する。【解決手段】高周波信号線外部を遮蔽層で被覆した高周波音声映像デジタルケーブルである。前記ケーブル１内部には平行アレイの複数のコア線１１を設け、各コア線１１外部にそれぞれ絶縁層１２を被覆し、平行アレイのコア線１１は低周波信号線３及び高周波信号線２がそれぞれ平行配列したものであり、高周波信号線２から離れた低周波信号線３の他方側には接地線４を設ける。平行アレイのコア線外部には、更に保護層１４を被覆し、高周波信号線２中の接地線４以外の隣接する二つの高周波信号伝送線２２，２３の絶縁層外部にはそれぞれ遮蔽層２４を被覆する。遮蔽層２４が外部の電磁波、電子ノイズの妨害を隔離することにより、高周波音声映像デジタルケーブルは音声映像信号を安定的に伝送する目的を達成する。【選択図】図１
0003152130.tif 000002
【実用新案登録請求の範囲】
【請求項１】
高周波信号線の外部を遮蔽層で被覆する高周波音声映像デジタルケーブルにおいて、
上記ケーブル内部には平行アレイの複数のコア線を設け、各コア線の外部分それぞれ絶縁層を被覆し、コア線の絶縁層外部には隔離層を被覆し、並びに、低周波信号線及び高周波信号線を備え、平行アレイのコア線外部には保護層を被覆し、
平行アレイのコア線において、隣接する二つの高周波信号線の絶縁層外部には更に、電子ノイズ妨害を隔離する遮蔽層を被覆し、並びに、高周波信号線から離れた低周波信号線の他方側には接地する為の接地線を設けることを特徴とする高周波音声映像デジタルケーブル。
【請求項２】
前記ケーブルには、ＨＤＭＩコネクタの雄形に接続する為の１９本のコア線を設置することを特徴とする請求項１記載の高周波音声映像デジタルケーブル。
【請求項３】
前記ケーブルには、ディスプレーポートの電気コネクタの雄形に接続する為の２０本のコア線を設置することを特徴とする請求項１記載の高周波音声映像デジタルケーブル。
【請求項４】
前記ケーブルには、ＤＶＩ関連規格コネクタの雄形に接続する為の最低２４本のコア線を設置することを特徴とする請求項１記載の高周波音声映像デジタルケーブル。
【請求項５】
前記ケーブルのコア線は、可撓性のアルミニウム、鉄、銅等の同類金属素材とすることを特徴とする請求項１記載の高周波音声映像デジタルケーブル。
【請求項６】
前記遮蔽層は、アルミ箔被覆、銅線繞設、或いは銅線編み込みにより構成されることを特徴とする請求項１記載の高周波音声映像デジタルケーブル。
【請求項７】
前記接地線は、スズメッキ線、銅線、或いは銀メッキ線等の同類金属素材とすることを特徴とする請求項１記載の高周波音声映像デジタルケーブル。
【請求項８】
前記高周波信号線は、高周波接地線及び隣接する二つの高周波信号伝送線により組成されることを特徴とする請求項１記載の高周波音声映像デジタルケーブル。
【請求項９】
前記接地線の外部は黒の絶縁層を被覆し、隣接する二つの高周波信号伝送線外部にはそれぞれ白及び赤の絶縁層を被覆することを特徴とする請求項８記載の高周波音声映像デジタルケーブル。
【請求項１０】
前記低周波信号線外部はそれぞれ赤の絶縁層を被覆することを特徴とする請求項１記載の高周波音声映像デジタルケーブル。
【考案の詳細な説明】
【技術分野】
【０００１】
本考案は特に高周波信号線の外部を遮蔽層で包み込んだ高周波音声映像デジタルケーブルを提供するものであり、遮蔽層で外部の電磁波、ノイズによる妨害を隔離して音声映像信号の伝送を更に安定させる目的を達成する。
【背景技術】
【０００２】
昨今、音声信号とビデオ信号の応用領域は徐々に広範にその進歩が進む中、例えば、音声映像シーディーロム、デジタル化多機能シーディーロム、高解像度のデジタルテレビ、ビデオ電話、ビデオ会議等は、私達の生活環境に浸透して来ている。また、新科学技術の流れの下、多くの音声映像ビデオは全てデジタル化方式により言語映像情報が処理され、更なる高品質、更なる良質な音声映像ビデオ効果を提供する為に、異なる領域の応用及び需要に伴い、異なる規格が生まれ、基準は繰り返し修正更新され、デジタル信号の伝送（非圧縮信号）速度においては更なる改善、速度アップが要求されている。現在のデジタルビデオインタフェースの標準規格は、例えばＨＤＭＩ、ＤＶＩ、ディスプレーポート等規格のインタフェースであるが、これらのインタフェースのデジタル化伝送によって、電子設備で表示する画面品質を高め、並びに前記インタフェースは、アダプター、セットトップボックス、ＤＶＤプレイヤー、パソコン、テレビゲーム、拡張器、及びデジタル音響等の設備に電気的に接続するものである。それらは高速伝送、遠距離、良品質等の特徴から、徐々に大衆の人気を集め、使用量も日々上昇し、デジタル高速伝送の画像品質において、更に良好なビデオ効果を提供している。
【考案の概要】
【考案が解決しようとする課題】
【０００３】
ディスプレーポート、ＤＶＩ、ＨＤＭＩコネクタで使用するケーブルは、大部分が円形または扁形であり、且つ、ケーブル内部には複数の高周波信号線、複数の低周波信号線を備え、並びに信号伝送を行う場合は、相互間の信号が妨害を起こし易く、信号伝送時の品質が非常に不安定となり、且つ周囲の関連電子部品に対して妨害を発生させ、実際使用時には次のような多くの欠点が残される。
（１）現在使用しているケーブルは、内部には接地線を有し、信号伝送過程中のノイズを接地しているにも関わらず、他の電磁波、電子信号に対する妨害は除去されていない。
（２）ケーブル内部の信号線が高周波信号線もしくは低周波信号線の何れであっても複数の金属コア線の外部に絶縁層を被覆しているが、絶縁層の遮蔽効果は良好でなく、妨害信号を効果的に遮断することは不可能で、コア線がノイズ妨害を受け易い。
【０００４】
よって、公知の高周波信号線が信号伝送時に受ける相互間の信号妨害、外部のノイズや電磁波妨害の問題を如何に解決するかが、本業界に従事するメーカーにとって研究改善すべき方向である。
【課題を解決するための手段】
【０００５】
よって、本考案者は前述の問題と欠点に鑑み、関連資料を収集し、多方面からの評価や考慮、並びに本業界に従事して累積した長年の経験を合わせ、試作と修正を重ねた結果、本考案の如き良好な遮蔽作用を有する高周波音声映像デジタルケーブルの創出に至った。
【０００６】
本考案の主な目的は、ケーブルの内部に平行アレイの複数のコア線を設け、低周波信号線及び高周波信号線を平行配列し、高周波信号線から離れた低周波信号線の他方側に接地線を設ける。更に複数高周波信号線中の接地線以外の隣接する高周波信号線の絶縁層外部にはそれぞれ遮蔽層を被覆する。即ち、遮蔽層が外部の電磁波、電子ノイズの妨害を隔離することにより、高周波音声映像デジタルケーブルは音声映像信号を安定的に伝送する目的を達成する。
【考案の効果】
【０００７】
本考案の高周波音声映像デジタルケーブルは、高周波信号線の外部を被覆した遮蔽層により外部の電磁波、ノイズ妨害を隔離して音声映像信号の伝送を更に安定させる効果を有する。
【図面の簡単な説明】
【０００８】
【図１】本考案の外観図である。
【図２】本考案の平面図である。
【図３】本考案の実施例に関する分解図である。
【図４】本考案の実施例に関する底面の分解図である。
【図５】本考案の簡易ピンに関する図である。
【図６】本考案の実施例に関する外観図である。
【図７】本考案の使用状態の外観図である。
【図８】従来の線材のテスト数値表である。
【図９】本考案の線材のテスト数値表である。
【図１０】本考案の線材のテスト数値表である。
【図１１】本考案の線材のテスト数値表である。
【考案を実施するための形態】
【０００９】
前述の目的及び効果を達成する為に、本考案の採用する技術手段及びその構造に図面を組み合わせて、次の通り、本考案の実施例に対して特徴と効果の詳細説明を行う。
【実施例】
【００１０】
図１、図２の本考案の外観図、平面図に示す通り、本考案の高周波音声映像デジタルケーブルは、最低、ケーブル１、複数の高周波信号線２、及び複数の低周波信号線３により構成される。
【００１１】
前記ケーブル１は、複数の平行アレイ式のコア線１１を備え、各コア線１１の外部にはそれぞれ絶縁層１２を被覆し、更に複数のコア線１１の絶縁層１２外部には隔離層１３を被覆し、隔離層１３の外部に絶縁の保護層１４を被覆して、扁平状のケーブル１を構成する。また、ケーブル１における平行アレイ式の複数のコア線１１中に平行配列する複数の高周波信号線２を形成し、高周波信号線２間には複数の高周波接地線２１と、隣接する高周波信号伝送線２２、高周波信号伝送線２３を備え、複数の高周波接地線２１外部に黒の絶縁層１２を被覆し、隣接する高周波信号伝送線２２、高周波信号伝送線２３外部にはそれぞれ白及び赤の絶縁層１２を被覆し、更に相隣する白、赤の高周波信号伝送線２２、高周波信号伝送線２３の絶縁層１２外部に遮蔽層２４を被覆することにより、高周波信号伝送線２２、高周波信号伝送線２３は更に良好な遮蔽、隔離効果を有し、電磁波の妨害も受け難くなる。また、相隣する高周波信号線２の一方側は平行配列する複数の低周波信号線３であり、低周波信号線３はコア線１１外部にはそれぞれ赤の絶縁層１２を被覆し、高周波信号線２から離れた低周波信号線３の他方側には接地線４を設ける。これにより構成される本考案の高周波音声映像デジタルケーブルは、音声映像信号を安定的に伝送することが可能となる。
【００１２】
前述のケーブル１の高周波信号線２は、黒の高周波接地線２１、白の高周波信号伝送線２２、赤の高周波信号伝送線２３であり、三色を順序通りに隣接結合して平行アレイ式の配列を行い、高周波信号線２を構成する。高周波信号線２の横側に位置する低周波信号線３は、外部に赤の絶縁層１２を被覆する複数の低周波信号線３により構成されて一体化したもので、低周波信号線３の他方側には接地線４を設ける。即ち、複数の黒、白、赤の順序通りに配列した高周波信号線２、複数の赤の低周波信号線３、及び接地線４により平行アレイ式に配列して本考案のケーブル１を形成する。
【００１３】
ケーブル１の線材を作製した後、電磁妨害テスト（EMI，Electro Magnetic Interference）を経てから伝送信号の使用が可能となり、伝統的な線材のテスト数値（図８参照）、及び線材の周波数（frequency）は何れも標準値（Level,約40dBu V/m）を超過するが、本考案のケーブル１の線材テスト（図９、図１０、図１１参照）、その周波数（frequency）は何れも標準値（Level,約40dBu V/m）を下回り、本考案のケーブル１は、合格したテスト数値中に使用し、電磁波妨害問題を低下させ、並びに高周波音声映像デジタル信号伝送の安定性を高め、明晰な音声映像を提供することが可能となる。
【００１４】
図２乃至図５に、本考案の平面図、実施例に関する分解図、実施例に関する底面の分解図、簡易ピンに関する図を示す。前記ケーブル１に設置した19本のコア線１１は、ＨＤＭＩの雄形コネクタに接続し、19本のコア線１１の同一平面に順序に従い配列させる。即ち、第１乃至第１９コアは、ＧＮＤ−２、２＋、２−、ＧＮＤ−１、１＋、１−、ＧＮＤ−０、０＋、０−、ＧＮＤ−Ｃ、Ｃ＋、Ｃ−、ＣＥＣ、ＮＣ、ＳＣＬ、ＳＤＡ、ＧＮＤ、＋５Ｖ、ＨＰＤ等のピンで、電気コネクタ５における回路板５１の第一表面５１１の複数金属接点５１１１上に電気的に接続する。高周波の電気コネクタ５の複数アダプター端子５２ピンは、ＨＤＭＩの電気コネクタ５形式とすることが可能であり、１乃至１９の端子ピンはそれぞれ、２＋、ＧＮＤ−２、２−、１＋、ＧＮＤ−１、１−、０＋、ＧＮＤ−０、０−、Ｃ＋、ＧＮＤ−Ｃ、Ｃ−、ＣＥＣ、ＮＣ、ＳＣＬ、ＳＤＡ、ＧＮＤ、＋５Ｖ、ＨＰＤの異なるピンで、回路板５１の第一表面５１１の複数第一接点５１１２と、第二表面５１２の複数の第二接点５１２１に電気的に接続する。
【００１５】
ケーブル１は、ディスプレーポートの電気コネクタ５の雄形に接続する為に２０本のコア線１１を設置することも可能である。ケーブル１のコア線１１を２４本のコアとしたなら、ＤＶＩ関連規格の電気コネクタ５の雄形に接続することも可能となる。
【００１６】
前記ケーブル１における内部の複数のコア線１１は、可撓性のアルミニウム、鉄、銅類の金属素材により作製することも可能であり、複数の高周波信号線２の隣接する高周波信号伝送線２２、高周波信号伝送線２３の絶縁層１２外部を被覆する遮蔽層２４は、アルミ箔被覆、銅線繞設、或いは銅線編み込みにより構成される。高周波信号線２の高周波接地線２１、ケーブル１の接地線４は、スズメッキ（Tinned Copper Wire）、銅線、若しくは銀メッキ線等の金属素材により構成する。
【００１７】
図２、３、６、７に、本考案の平面図、実施例に関する分解図、実施例に関する外観図、使用状態の外観図を示す。図中からわかる通り、本考案の高周波音声映像デジタルケーブルは、ケーブル１の平行アレイ式の複数コア線１１において、予め準備した電気コネクタ５回路板５１第一表面５１１の金属接点５１１１に半田付け連結し、並びに、第一表面５１１の他方側の第一接点５１１２はそれぞれ電気コネクタ５アダプター端子５２に半田付け連結し、アダプター端子５２の他方側はそれぞれ電気コネクタ５接続部５３の挿入孔５３０内に延伸し、ケーブル１は電気コネクタ５に電気的に接続する。また、電気コネクタ５の接続部５３によって、外部対応形式のコネクタに電気的に接続し、ケーブル１と電気コネクタ５を使って高周波デジタル音声映像信号伝送の目的を達成する。電気コネクタ５はＨＤＭＩコネクタ、ディスプレーポートコネクタ、ＤＶＩ関連規格コネクタ、音声映像信号コネクタ等の各種形式のコネクタのデジタル音声映像ビデオ用接続インタフェースである。
【００１８】
以上に開示したものは本考案の実施例であるだけで、本考案の実用新案請求の範囲を制限するものではない。本考案のケーブル１は平行アレイ式のコア線１１中に高周波信号線２、低周波信号線３、及び接地線４を平行配列し、高周波信号線２の隣接する高周波信号伝送線２２、高周波信号伝送線２３外部には遮蔽層２４を被覆し、高周波信号伝送線２２、高周波信号伝送線２３をノイズ、電磁波妨害から保護する目的を実現し、高周波信号線２は信号を安定的に伝送することを可能とする。よって、前記効果を達成する構造、装置は本考案が包含するものとし、簡易な修飾及び同等効果を有する構造変化は全て同様に本考案の実用新案請求の範囲内に含まれることを茲に明記する。
【００１９】
前記本考案の高周波音声映像デジタルケーブルを実際に使用する場合は、次のような長所がある。
（１）ケーブル１は内部平行アレイ式の複数コア線１１の一方側に接地線４を備える他、高周波信号線２の隣接する高周波信号伝送線２２、高周波信号伝送線２３の外部に遮蔽層２４を被覆して高周波信号線２の伝送信号の品質を向上させ、その他の電磁波、電子ノイズの妨害を受けない為、ケーブル１は音声映像信号の安定的な伝送を行うことを可能とする。
（２）ケーブル１内部の平行アレイ式コア線１１は、高周波信号線２、低周波信号線３と平行配列して、高周波信号線２間には遮蔽層２４を被覆する故、高周波信号線２、低周波信号線３間の相互妨害現象の発生を防ぎ、効果的に電磁波及びノイズを隔離することを可能にする。
【００２０】
本考案はケーブル内部の平行アレイ式コア線がそれぞれ高周波信号線、低周波信号線、接地線を備え、並びに、高周波信号線の隣接する二つの高周波信号伝送線外部に遮蔽層を被覆するのは、高周波信号線の信号伝送を達成する場合、電磁波や電子ノイズの妨害を受けないことを主な保護ポイントとしており、これによりケーブルは信号の安定的な伝送を可能にし、本考案のケーブルは、信号の安定的な伝送及び遮蔽を備え、効果的に妨害防止をするものである。但し、前記は本考案の実施例であるだけで、本考案の実用新案請求の範囲を制限するものではない。よって、本考案の明細書及び図面内容に基づいて為された簡易の修飾及び同等効果を有する構造変化は全て本考案の実用新案請求の範囲内に包含されることを茲に明記する。
【符号の説明】
【００２１】
１  ケーブル
１１  コア線
１２  絶縁層
１３  隔離層
１４  保護層
２  高周波信号線
２１  高周波接地線
２２  高周波信号伝送線
２３  高周波信号伝送線
２４  遮蔽層
３  低周波信号線
４  接地線
５  電気コネクタ
５１  回路板
５１１  第一表面
５１１１  金属接点
５１１２  第一接点
５１２  第二表面
５１２１  第二接点
５２  アダプター端子
５３  接続部
５３０  挿入孔
【図１】
0003152130.tif 000003
【図２】
0003152130.tif 000004
【図３】
0003152130.tif 000005
【図４】
0003152130.tif 000006
【図５】
0003152130.tif 000007
【図６】
0003152130.tif 000008
【図７】
0003152130.tif 000009
【図８】
0003152130.tif 000010
【図９】
0003152130.tif 000011
【図１０】
0003152130.tif 000012
【図１１】
0003152130.tif 000013
【手続補正書】
【提出日】平成21年5月7日(2009.5.7)
【手続補正１】
【補正対象書類名】明細書
【補正対象項目名】０００２
【補正方法】変更
【補正の内容】
【０００２】
昨今、音声信号とビデオ信号の応用領域は徐々に広範にその進歩が進む中、例えば、音声映像シーディーロム、デジタル化多機能シーディーロム、高解像度のデジタルテレビ、ビデオ電話、ビデオ会議等は、私達の生活環境に浸透して来ている。また、新科学技術の流れの下、多くの音声映像ビデオは全てデジタル化方式により言語映像情報が処理され、更なる高品質、更なる良質な音声映像ビデオ効果を提供する為に、異なる領域の応用及び需要に伴い、異なる規格が生まれ、基準は繰り返し修正更新され、デジタル信号の伝送（非圧縮信号）速度においては更なる改善、速度アップが要求されている。現在のデジタルビデオインタフェースの標準規格は、例えばＨＤＭＩ（登録商標）、ＤＶＩ、ディスプレーポート等規格のインタフェースであるが、これらのインタフェースのデジタル化伝送によって、電子設備で表示する画面品質を高め、並びに前記インタフェースは、アダプター、セットトップボックス、ＤＶＤプレイヤー、パソコン、テレビゲーム、拡張器、及びデジタル音響等の設備に電気的に接続するものである。それらは高速伝送、遠距離、良品質等の特徴から、徐々に大衆の人気を集め、使用量も日々上昇し、デジタル高速伝送の画像品質において、更に良好なビデオ効果を提供している。
【手続補正２】
【補正対象書類名】明細書
【補正対象項目名】０００３
【補正方法】変更
【補正の内容】
【０００３】
ディスプレーポート、ＤＶＩ、ＨＤＭＩ（登録商標）コネクタで使用するケーブルは、大部分が円形または扁形であり、且つ、ケーブル内部には複数の高周波信号線、複数の低周波信号線を備え、並びに信号伝送を行う場合は、相互間の信号が妨害を起こし易く、信号伝送時の品質が非常に不安定となり、且つ周囲の関連電子部品に対して妨害を発生させ、実際使用時には次のような多くの欠点が残される。
（１）現在使用しているケーブルは、内部には接地線を有し、信号伝送過程中のノイズを接地しているにも関わらず、他の電磁波、電子信号に対する妨害は除去されていない。
（２）ケーブル内部の信号線が高周波信号線もしくは低周波信号線の何れであっても複数の金属コア線の外部に絶縁層を被覆しているが、絶縁層の遮蔽効果は良好でなく、妨害信号を効果的に遮断することは不可能で、コア線がノイズ妨害を受け易い。
【手続補正３】
【補正対象書類名】明細書
【補正対象項目名】００１７
【補正方法】変更
【補正の内容】
【００１７】
図２、３、６、７に、本考案の平面図、実施例に関する分解図、実施例に関する外観図、使用状態の外観図を示す。図中からわかる通り、本考案の高周波音声映像デジタルケーブルは、ケーブル１の平行アレイ式の複数コア線１１において、予め準備した電気コネクタ５回路板５１第一表面５１１の金属接点５１１１に半田付け連結し、並びに、第一表面５１１の他方側の第一接点５１１２はそれぞれ電気コネクタ５アダプター端子５２に半田付け連結し、アダプター端子５２の他方側はそれぞれ電気コネクタ５接続部５３の挿入孔５３０内に延伸し、ケーブル１は電気コネクタ５に電気的に接続する。また、電気コネクタ５の接続部５３によって、外部対応形式のコネクタに電気的に接続し、ケーブル１と電気コネクタ５を使って高周波デジタル音声映像信号伝送の目的を達成する。電気コネクタ５はＨＤＭＩ（登録商標）コネクタ、ディスプレーポートコネクタ、ＤＶＩ関連規格コネクタ、音声映像信号コネクタ等の各種形式のコネクタのデジタル音声映像ビデオ用接続インタフェースである。
【手続補正４】
【補正対象書類名】実用新案登録請求の範囲
【補正対象項目名】請求項２
【補正方法】変更
【補正の内容】
【請求項２】
前記ケーブルには、ＨＤＭＩ（登録商標）コネクタの雄形に接続する為の１９本のコア線を設置することを特徴とする請求項１記載の高周波音声映像デジタルケーブル。
【手続補正５】
【補正対象書類名】図面
【補正対象項目名】図８
【補正方法】変更
【補正の内容】
【図８】
0003152130.tif 000014
【手続補正６】
【補正対象書類名】図面
【補正対象項目名】図９
【補正方法】変更
【補正の内容】
【図９】
0003152130.tif 000015
【手続補正７】
【補正対象書類名】図面
【補正対象項目名】図１０
【補正方法】変更
【補正の内容】
【図１０】
0003152130.tif 000016
【手続補正８】
【補正対象書類名】図面
【補正対象項目名】図１１
【補正方法】変更
【補正の内容】
【図１１】
0003152130.tif 000017